(57)【特許請求の範囲】
【請求項１】
後身頃（１），前身頃（２），及び前記後身頃（１）と前記前身頃（２）の間に位置する股下部（３）から構成され，
前記後身頃（１）には，前記後身頃（１）の左右の各側縁から延出するファスニングテープ（１０）が取り付けられ，
前記ファスニングテープ（１０）を前記前身頃（２）に止め付けることにより，着用者の身体に装着されるテープ型使い捨ておむつにおいて，
前記ファスニングテープ（１０）は，
前記後身頃（１）に取り付けられる基端部（１１）と，
前記基端部（１１）よりも幅狭であって，前記基端部（１１）から延出した摘持部（１２）を含み，
前記摘持部（１２）は，前記摘持部（１２）の長手方向中頃において幅の広がった膨出部（１３）を境として，前記基端部（１１）側に位置するくびれ部（１４）と，前記摘持部（１２）の先端側に位置する先端部（１５）を有し，
前記くびれ部（１４）における幅が最小となる凹部（１４ａ）は，前記膨出部（１３）の幅よりも幅狭に形成され，
前記膨出部（１３）は，前記凹部（１４ａ）よりも先端側の領域において，前記摘持部（１２）の幅が最大となる部分であり，
前記摘持部（１２）の前記先端部（１５）には，前記前身頃（２）に係合する止着部（１６）が設けられており，
前記止着部（１６）は，前記基端部（１１）側の下縁辺（１６ａ）と，前記摘持部（１２）の先端側の上縁辺（１６ｂ）と，前記先端部（１５）の左右両側縁に沿って前記下縁辺（１６ａ）と前記上縁辺（１６ｂ）の両端を繋ぐ左右の側縁辺（１６ｃ，１６ｄ）により画定される形状であり，
前記下縁辺（１６ａ）の幅は，前記上縁辺（１６ｂ）の幅と同一又は幅広であり，
前記摘持部（１２）における前記膨出部（１３）の幅は，前記下縁辺（１６ａ）の幅よりも幅広に形成されている
使い捨ておむつ。
【請求項２】
前記くびれ部（１４）における前記凹部（１４ａ）の幅は，前記下縁辺（１６ａ）の幅よりも幅狭に形成されている
請求項１に記載の使い捨ておむつ。
【請求項３】
前記摘持部（１２）には，前記止着部（１６）が設けられた部分よりも先端側に，延端部（１５ｂ）が形成されており，
前記延端部（１５ｂ）の幅は，前記止着部（１６）のどの点における幅よりも幅狭である
請求項１又は請求項２に記載の使い捨ておむつ。
【発明の詳細な説明】
【技術分野】
【０００１】
本発明は，着用者の股下に装着され，尿などの液体を吸収し保持するためのテープ型使い捨ておむつに関する。具体的に説明すると，本発明のテープ型使い捨ておむつは，後身頃に設けられたファスニングテープを，前身頃に止め付けることにより着用者の身体に装着されるものであり，そのファスニングテープの構成に特徴を有する。
【背景技術】
【０００２】
従来から，例えば後身頃にファスニングテープが取り付けられ，前身頃にフロントパッチが設けられたテープ型使い捨ておむつが知られている。ファスニングテープとフロントパッチは，例えばフック材（雄部材）とループ材（雌部材）の面ファスナーにより機械的に結合できるようになっている。このため，後身頃に設けられたファスニングテープを前身頃に設けられたフロントパッチに止め付けることで，使い捨ておむつを着用者の身体に装着することが可能である。
【０００３】
上記のようなテープ型使い捨ておむつを着用者に装着させる際には，ファスニングテープの先端部分付近を摘持し，フック材（止着部）をフロントパッチに係合させる位置を調節しながら，おむつが着用者の身体に適切にフィットするように操作を行う。このため，ファスニングテープには，装着時における操作性と，フロントパッチに対するフィット性が求められる。そこで，従来から，操作性とフィット性を向上させることを目的として種々の工夫がなされたファスニングテープが提案されている（例えば，特許文献１，特許文献２）。例えば，特許文献１には上下に重ねることが可能なファスニングテープが開示されている。また，特許文献２には，幅方向に弾性伸縮可能なファスニングテープが開示されている。
【先行技術文献】
【特許文献】
【０００４】
【特許文献１】特開２０１２−０４０２４６号公報
【特許文献２】特開２０１２−５０５４１号公報
【発明の概要】
【発明が解決しようとする課題】
【０００５】
上記従来のファスニングテープは，基本的に，使い捨ておむつの後身頃に取り付けられる基端部と，この基端部にから延出した摘持部により形成され，この摘持部は，ファスニングテープの先端から基端部との連接部分に向かって徐々に幅広となる末広がりの形状を有するものであった。このように，ファスニングテープの摘持部を徐々に幅広となる曲線によって形成することにより，ファスニングテープを連続的に製造し易いとされている。しかしながら，ファスニングテープの摘持部は，使い捨ておむつの装着時において人手によって摘み持たれて，フロントパッチに止着する位置が調節されるものであり，摘持部が末広がりの形状となって基端部に連接していると，摘持部が基端部と一体に動作してしまう。このため，従来のファスニングテープは，基端部に向きや角度に依存させずに，摘持部の向きや角度を自由に調整することが困難であり，操作性に劣るという問題を有していた。
【０００６】
また，従来のように，ファスニングテープの先端から基端部との連接部分に向かって徐々に幅広となるものである場合，ファスニングテープ自体の面積が大きくなり，フロントパッチに係合した際に，フロントパッチに占めるファスニングテープの面積の割合が大きくなる。ファスニングテープはある程度の厚みを持つものであり，このようなファスニングテープが着用者の腹部周りにあるフロントパッチに対し比較的広い面積で係合されていると，腹部周りにゴワゴワ感が生じて着用者に対して違和感を与え，着用感が損なわれるという問題があった。特に，大人用のテープ型使い捨ておむつでは後身頃の左右両側縁にファスニングテープが２対ずつ設けられることが多いため，各フロントパッチの面積が広い場合，着用感の低下が顕著なものとなっていた。
【０００７】
さらに，例えば，ファスニングテープが後身頃の左右両側縁に２対ずつ設けられるような場合において，各ファスニングテープ（特に摘持部）の面積が大きくなると，４枚すべてのファスニングテープを，他のファスニングテープと重畳させずに，フロントパッチの適切な位置に係合することが困難になる。このため，複数のファスニングテープのいずれかが本意でない不適切な位置に係合される恐れがあり，このような場合，使い捨ておむつと着用者の身体のフィット性が損なわれ，結果として使い捨ておむつと身体の間に隙間が生じ，尿漏れに繋がるという問題があった。また，フロントパッチに占めるファスニングテープの割合が大きくなると，装着時おけるおむつの外観が損なわれてしまう。
【０００８】
例えば，上記したファスニングテープの面積が大きいことによる不具合を解消するために，ファスニングテープ全体の面積を小さくすることも考えられる。しかし，ファスニングテープ全体を小さく形成すると，ファスニングテープが使い難くなるばかりでなく，フロントパッチとの係合力が低下して解離しやすくなり，さらには身体に対するおむつのフィット性が低下する。
【０００９】
このため，現在では，操作性に優れ，着用者に対して不要な違和感を与えることなく，しかも使い捨ておむつを身体に適切にフィットさせることのできるファスニングテープを備えた使い捨ておむつが求められている。
【課題を解決するための手段】
【００１０】
そこで，本発明の発明者らは，上記の従来発明の問題点を解決する手段について鋭意検討した結果，おむつ本体に取り付けられる基端部と，この基端部から延出した摘持部を備えるファスニングテープであって，摘持部の形状を，その長手方向中頃を幅広にして膨出部を形成し，この膨出部を境として基端部寄りの位置にくびれ部を設け，このくびれ部での幅が最小となる凹部の幅を，膨出部の幅よりも幅狭にすることにより，従来技術の課題を解決できることに想到し，本発明を完成させた。すなわち，ファスニングテープの摘持部に凹部を形成することで，この凹部を基点として摘持部を自由に操作し易くなる。また，ファスニングテープの摘持部にくびれ部を形成することで，従来のファスニングテープと比較し，ファスニングテープの摘持部の面積を減少させることができる。本発明は，基本的にこのような知見に基づくものである。
具体的に説明すると，本発明は以下の構成を有する。
【００１１】
本発明は，ファスニングテープを備えるテープ型使い捨ておむつに関する。
本発明の使い捨ておむつは，後身頃１，前身頃２，及び後身頃１と前身頃２の間に位置する股下部３から構成される。この後身頃１には，後身頃１の左右の各側縁から延出するファスニングテープ１０が取り付けられている。本発明の使い捨ておむつは，ファスニングテープ１０を前身頃２に止め付けることにより，着用者の身体に装着される。
ファスニングテープ１０は，後身頃１に取り付けられる基端部１１と，基端部１１よりも幅狭であって基端部１１から延出した摘持部１２を含む。
ファスニングテープ１０の摘持部１２は，摘持部１２の長手方向中頃において幅の広がった膨出部１３を境として，基端部１１側に位置するくびれ部１４と，摘持部１２の先端側に位置する先端部１５を有する。なお，摘持部１２の長手方向中頃とは，摘持部１２の先端から，摘持部１２と基端部１１の連結点の間の領域であればよい。
くびれ部１４には，くびれ部１４おける幅が最小となる凹部１４ａが形成され，この凹部１４ａの幅は，膨出部１３の幅よりも幅狭となっている。
そして，膨出部１３は，凹部１４ａよりも先端側に位置する領域において，摘持部１２の幅が最大となる部分である。
【００１２】
上記構成を有するファスニングテープ１０は，要するに，摘持部１２が，その先端から基端部１１との連接点に向かう中頃において一旦幅広となり，幅広となった部分よりも基端部１１側の位置において幅狭になる形状で構成される。すなわち，本発明において，ファスニングテープの摘持部１２には，摘持部１２の長手方向中頃において幅の広がった膨出部１３を境として，基端部１１側に位置するくびれ部１４と，摘持部１２の先端側に位置する先端部１５が形成される。
一般的に，ファスニングテープ１０をおむつの前身頃に止め付ける際，使用者は，摘持部１２の先端部１５を摘み持って，ファスニングテープ１０の止め付け位置を調節する。このとき，本発明では，摘持部１２にくびれ部１４が形成されており，このくびれ部１４は他の部分と比較して柔軟になっているため，このくびれ部１４を基点として摘持部１２の先端部１５の向きや角度をある程度自由に調節して，ファスニングテープ１０の止め付け位置を調節できる。従って，本発明によれば，ファスニングテープ１０の操作性が向上する。
また，本発明のファスニングテープ１０は，基端部１１と摘持部１２の連接点の近傍にくびれ部１４が形成されているため，従来の先端から基端部に向かって徐々に幅広となる末広がり形状のファスニングテープと比較し，ファスニングテープ（特に基端部１１と摘持部１２の連接点近傍部分）の面積が減少する。従って，ファスニングテープの面積が大きいことが原因となり，おむつを装着した着用者に対して不要な違和感を与えてしまうという問題や，前身頃の適切な位置にファスニングテープを係合することが困難になるという問題が生じることを回避できる。
さらに，上記の通り本発明では，ファスニングテープ１０の面積を減少させることとしているものの，面積を減少させる部分は，基端部１１と摘持部１２の連接点近傍に位置するくびれ部１４のみである。このため，本発明によれば，摘持部１２の先端部１５については，その面積を従来発明と変わらずに広く確保できる。摘持部１２の先端部１５は，使用者がおむつを装着する際に摘み持ったり，おむつの前身頃に係合される部分であるため，この先端部１５の面積を広く確保することで，ファスニングテープが使い難くなったり，おむつの前身頃（例えばフロントパッチ）との係合力が低下することがない。
【００１３】
本発明において，摘持部１２の先端部１５には，前身頃２に係合する止着部１６が設けられることが好ましい。すなわち，基端部１１側の下縁辺１６ａと，摘持部１２の先端側の上縁辺１６ｂと，先端部１５の左右両側縁に沿って下縁辺１６ａと上縁辺１６ｂの両端を繋ぐ左右の側縁辺１６ｃ，１６ｄにより画定される形状であり，この下縁辺１６ａと上縁辺１６ｂが，摘持部１２の先端部１５に位置している。
【００１４】
上記止着部１６は，例えば面ファスナーのフック材（雄部材）や粘着テープである。この止着部１６は，上記構成のように，摘持部１２の先端部１５にのみ設けられ，摘持部１２のくびれ部１４には位置しないものであることが好ましい。例えば，フック材や粘着テープのようなある程度の厚みを持つ止着部１６が，くびれ部１４（特に凹部１４ａ）に位置していると，くびれ部１４（特に凹部１４ａ）を基点として，摘持部１２の先端部１５をおむつの前身頃に止め付ける向きや角度を調節しにくくなる。このように，止着部１６が，くびれ部１４（特に凹部１４ａ）に位置していると，本発明の利点であるファスニングテープ１０の操作性が損なわれる恐れがある。また，例えば，止着部１６が摘持部１２の先端部１５からくびれ部１４にかけて配置されていると，この止着部１６にも，摘持部１２の形状に即して膨出部やくびれ部が形成されることになる。この止着部１６は例えばフック材のような手触りの硬い素材で形成されるものであるため，止着部１６に膨出部やくびれ部のような凹凸が形成されると，ファスニングテープ１０の摘持する使用者の手指を傷つけてしまう恐れがある。そこで，本発明では，止着部１６を摘持部１２の先端部１５にのみ設け，くびれ部１４には配置させないようにすることで，ファスニングテープ１０の操作性と手触りを維持している。
【００１５】
本発明において，止着部１６は，基端部１１側の下縁辺１６ａと，摘持部１２の先端側の上縁辺１６ｂと，先端部１５の左右両側縁に沿って下縁辺１６ａと上縁辺１６ｂの両端を繋ぐ左右の側縁辺１６ｃ，１６ｄにより画定される形状であることが好ましい。この場合において，下縁辺１６ａの幅は上縁辺１６ｂの幅と同一又は幅広であり，かつ，摘持部１２における膨出部１３の幅は下縁辺１６ａの幅よりも幅広に形成されていることが好ましい。
【００１６】
上記構成のように，摘持部１２における膨出部１３の幅を，止着部１６の最大幅（下縁辺１６ａの幅）よりも幅広とすることにより，ファスニングテープ１０を摘持し易くなり，操作性が向上する。
さらに，止着部１６における下縁辺１６ａの幅を上縁辺１６ｂの幅と同一又は幅広とすることにより，前身頃に止め付けられた止着部１６が引っ張られた場合（上縁辺１６ｂから下縁辺１６ａの方向に向かって引張力が働いた場合）であっても，下縁辺１６ａの係合力により止着部１６が容易に剥離しにくくなる。他方，止着部１６の先端を摘持してファスニングテープ１０を剥がす操作を行ったときには，比較的簡単に剥がすことができるようになる。
【００１７】
本発明において，くびれ部１４における凹部１４ａの幅は，止着部１６の下縁辺１６ａの幅よりも幅狭に形成されていることが好ましい。
【００１８】
上記構成のように，くびれ部１４における凹部１４ａの幅を，止着部１６の下縁辺１６ａの幅よりも幅狭とすることにより，おむつの前身頃に止着部１６を係合させる際のファスニングテープ１０の操作性がさらに向上する。また，上記構成によれば，ファスニングテープ１０全体の面積を適切に減少させることができる。
【００１９】
本発明において，摘持部１２には，止着部１６が設けられた部分よりも先端側に延端部１５ｂが形成されていることが好ましい。この場合，延端部１５ｂの幅は，止着部１６のどの点における幅よりも幅狭であることが好ましい。
【００２０】
上記構成のように，摘持部１２の先端側に止着部１６が配置されていない延端部１５ｂを形成することで，おむつの使用者はファスニングテープ１０をおむつの前身頃から剥離させるときに，この延端部１５ｂを摘持して，ファスニングテープ１０を比較的簡単に剥がすことができる。また，延端部１５ｂの幅が，止着部１６のどの点における幅よりも幅狭であることにより，ファスニングテープ１０の剥離操作がさらに容易になる。
【発明の効果】
【００２１】
本発明の使い捨ておむつが備えるファスニングテープは，基端部から延出した摘持部が，その長手方向中頃において幅の広がった膨出部を境として，基端部側に位置するくびれ部と，摘持部の先端側に位置する先端部を有するため，操作性に優れ，着用者に対して不要な違和感を与えることがなく，しかも使い捨ておむつを身体に適切にフィットさせることができる。
【図面の簡単な説明】
【００２２】
【図１】図１は，本発明に係るテープ型使い捨ておむつの例を示す斜視図である。
【図２】図２は，本発明に係るテープ型使い捨ておむつの例を示す展開図である。
【図３】図３は，第１の実施形態に係るファスニングテープを拡大して示した図である。図３（ａ）は，ファスニングテープ１０の基材に止着部１６が取り付けられた状態を示し，図３（ｂ）はファスニングテープ１０の基材を抽出した状態を示し，図３（ｃ）は止着部１６を抽出した状態を示している。
【図４】図４は，第２の実施形態に係るファスニングテープを拡大して示した図である。
【図５】図５は，第３の実施形態に係るファスニングテープを拡大して示した図である。
【図６】図６は，ファスニングテープを各シート層に分離して描画した斜視図である。
【発明を実施するための形態】
【００２３】
以下，図面を用いて本発明を実施するための形態について説明する。本発明は，以下に説明する形態に限定されるものではなく，以下の形態から当業者が自明な範囲で適宜修正したものも含む。
なお，本願明細書において，「ファスニングテープの長手方向」というときは，ファスニングテープの摘持部が基端部から延設した方向を意味し，「ファスニングテープの幅方向」というときは，長手方向と直交する方向を意味する。また，単にファスニングテープの「長さ」というときは長手方向における長さを意味し，ファスニングテープの「幅」というときは幅方向における長さを意味する。
また，本願明細書において，「Ａ〜Ｂ」との表記は「Ａ以上Ｂ以下」であることを意味する。
【００２４】
（１．使い捨ておむつの基本構成）
図１は，本発明に係るテープ型使い捨ておむつの例を示す斜視図である。また，図２は，本発明に係るテープ型使い捨ておむつの例を示す展開図であり，使い捨ておむつを，装着時において着用者の肌に当接しない面（肌非当接面）側から見た状態を示している。
図１や図２に示されるように，本発明のテープ型使い捨ておむつ１００は，装着時に着用者の背部を覆う後身頃１，着用者の腹部を覆う前身頃２，及び着用者の股下にあてがわれる股下部３の各部から構成される。
【００２５】
テープ型の使い捨ておむつ１００の後身頃１及び前身頃２には，左右両方向にサイドフラップが延設されている。また，後身頃１には，各サイドフラップの側縁から突出するようにファスニングテープ１０が取り付けられている。一方，前身頃２の肌非当接面側には，ファスニングテープ１０を止め付けるためのフロントパッチ２０が設けられている。このため，テープ型の使い捨ておむつ１００は，後身頃１を着用者の背部にあてがい，前身頃２を着用者の腹部にあてがった状態で，後身頃１に取り付けられているファスニングテープ１０を，前身頃２に設けられたフロントパッチ２０に止め付けることにより，着用者の身体に装着することが可能である。
【００２６】
後身頃１と前身頃２の間には股下部３が位置する。この股下部３を中心として後身頃１から前身頃２にかけて，尿などの液体を吸収し保持するための吸収体３１が配設されている。この吸収体３１は，着用者の肌に当接する面（肌当接面）側から液透過性のトップシート３２によって被覆され，反対側の肌非当接面側から液不透過性のバックシート３３によって被覆されている。従って，尿などの液体は，トップシート３２を透過して，吸収体３１に吸収保持され，液不透過性のバックシート３３によって外部への漏出が阻止される。
【００２７】
また，トップシート３２の両側縁にはサイドシート３４を配設することとしてもよい。サイドシート３４は，疎水性を有しながらも通気性の高い材料によって形成されていることが好ましい。また，サイドシート３４の一端をトップシート３２の表面上に固定し，その他端に弾性伸縮材（立体ギャザー伸縮材）を伸長状態で配設することにより，立体ギャザー３５を形成することとしてもよい。この立体ギャザー３５は，立体ギャザー伸縮材が収縮すると，その収縮力を利用して起立する。起立した立体ギャザー３５は，トップシート３２の側方から液体が漏洩することを防止するための防漏壁として機能する。
【００２８】
また，バックシート３３の外表面には，バックシート３３を補強し，その手触りを良くするために，カバーシート３６を貼り合わせることとしてもよい。カバーシート３６を形成する材料としては，例えば，ポリエチレン，ポリプロピレン，ポリエステルのような熱可塑性樹脂からなる不織布，又は湿式不織布を用いることができる。
【００２９】
（２．使い捨ておむつの各部構成）
以下，本発明に係るテープ型使い捨ておむつの各部の構成について説明する。
【００３０】
（２−１．ファスニングテープ）
ファスニングテープ１０は，フロントパッチ２０に係合する止着部１６を備えた部材である。このファスニングテープ１０は，前身頃２に設けられたフロントパッチ２０とともにファスニング機構を構成する。ファスニングテープ１０は，後身頃１のサイドフラップの側縁から延出するように取り付けられている。ファスニングテープ１０は，後身頃１のサイドフラップの肌当接面側又は肌非当接面側に固定されるものであってもよいし，後身頃が２枚以上のシート部材を重ね合わせて形成されたものである場合，そのシート部材の間に挟み込んで固定されたものであってもよい
【００３１】
ファスニングテープ１０は，前身頃２に配置されたフロントパッチ２０に届く程度の長さを有するものであればよい。また，図１や図２においては，ファスニングテープ１０が後身頃１の左右の各側縁に２つずつ設けられた例が示されている。ただし，ファスニングテープ１０の数は，左右の各側縁に１つずつ設けられたものであってもよいし，３つ以上設けられていてもよい。
【００３２】
各ファスニングテープ１０の先端近傍には，止着部１６が設けられている。止着部１６は，例えば，粘着剤や粘着テープにより固定を行うものであってもよいし，フロントパッチ２０に機械的に結合される面状ファスナーであってもよい。ファスニングテープ１０とフロントパッチ２０と固定するファスニング機構としては，フック材（雄部材）とループ材（雌部材）の機械的結合により固定を行う面状ファスナー用いることが特に好ましい。面状ファスナーは，例えば，表面に多数の突起（鉤状，きのこ状等）が形成されたフック材と，表面にループ状の繊維が配置されたループ材との組み合わせにより構成される。例えば，ファスニングテープ１０の止着部１６としてフック材を採用し，フロントパッチ２０にはループ材を形成すればよい。面状ファスナーは，ループ材の表面にフック材を貼り合わせた際，フック材の多数の突起をループ材の表面に係合させる。このため，面状ファスナーは，フック材とループ材を剥離可能な状態で，かつ強固に固着させることができるものであり，繰り返しの使用が可能である点，及び固着強度が高いという点において好ましい。
【００３３】
ファスニングテープ１０の基材を構成する材料としては，例えば，織布，不織布，その他布，紙，又はプラスチックフィルムを用いることができる。また，布を構成する素材としては，例えば，ポリエチレン系，ポリプロピレン系，ポリアミド系，ポリエステル系，ポリ塩化ビニル系，又はポリスチレン系の合成樹脂を好適に用いることができる。
【００３４】
（２−１−１．ファスニングテープ：第１の実施形態）
続いて，図３を参照して，ファスニングテープ１０の第１の実施形態について説明する。
図３は，第１の実施形態に係るファスニングテープ１０を拡大して示した図である。図３（ａ）は，ファスニングテープ１０の基材に止着部１６が取り付けられた状態を示し，図３（ｂ）はファスニングテープ１０の基材を抽出した状態を示し，図３（ｃ）は止着部１６を抽出した状態を示している。
【００３５】
図３（ａ）に示されるように，ファスニングテープ１０は，おむつ後身頃１のサイドフラップに固定される部分を有する基端部１１と，この基端部１１から延設した摘持部１２を有する。基端部１１から摘持部１２が延設した方向が，ファスニングテープ１０の長手方向である。図３（ａ）に示されるように，基端部１１は略矩形に形成され，一端から他端にかけて幅が一定になっていることが好ましい。基端部１１は，すべての領域においておむつの後身頃１に固定される必要はない。基端部１１は，少なくとも摘持部１２が延設した端部とは反対側の端部において，部分的におむつ後身頃１に固定されるものであればよい。摘持部１２は，基端部１１と同一の材料で一体的に形成されているものであることが好ましい。また，摘持部１２は，どの点においても基端部１１よりも幅狭となっていることが好ましい。
なお，本願明細書においては，図３に示された方向に従って，ファスニングテープ１０について，基端部１１側のことを下側といい，摘持部１２側のことを上側といい，この上側と下側を基準として左側右側ということがある。
【００３６】
本発明は，ファスニングテープ１０のうち，特に摘持部１２の形状に特徴を有する。図３（ａ）に示されるように，摘持部１２は，長手方向中頃において，幅方向の左右外側に向かって膨出した膨出部１３を有する。本実施形態において，この膨出部１３は，摘持部１２と基端部１１の連接点近傍における部分（１４ｃ）を除き，摘持部１２の幅が最大となる点である。摘持部１２は，膨出部１３を境界として，基端部１１側にくびれ１４部を有し，摘持部１２の先端１２ａ側に先端部１５を有する形状で構成されている。
【００３７】
くびれ部１４とは，摘持部１２において，基端部１１との連接点から膨出部１３の間に位置し，膨出部１３よりも幅狭になる点を含む部分である。すなわち，摘持部１２のくびれ部１４には，凹部１４ａが形成されている。凹部１４ａは，膨出部１３よりも基端部１１側に位置する領域において，最も幅が狭くなる点である。凹部１４ａにおける幅は，少なくとも膨出部１３における幅よりも幅狭となる。このため，くびれ部１４は，膨出部１３から凹部１４ａにかけて徐々に幅が狭くなる中間部１４ｂを有する。図３（ａ）に示されるように，本実施形態において，この中間部１４ｂにおける左右の側縁は，直線的に形成されている。また，くびれ部１４は，凹部１４ａから基端部１１にかけて徐々に幅が広くなる連接部１４ｃを有する。連接部１４ｃは，摘持部１２と基端部１１の連接点近傍における部分である。連接部１４ｃの幅は，凹部１４ａとの接点における最小幅から，基端部１１との接点における最大幅まで徐々に徐々に広くなる。本実施形態において，この連接部１４ｃにおける左右の側縁は，曲線的に形成されている。
【００３８】
他方，摘持部１２の先端部１５には，止着部１６が設けられる。すなわち，止着部１６は，摘持部１２の膨出部１３よりも先端１２ａ側の領域に固定される。このため，摘持部１２の先端部１５は，止着部１６が設けられる止着部配置部１５ａが形成される。また，先端部１５は，止着部配置部１５ａよりも先端１２ａ側に，止着部１６が配置されない延端部１５ｂが形成される。本実施の形態において，先端部１５における左右の側縁は，膨出部１３から先端１２ａにかけて略直線的に延び，角部分にＲ加工が施された形状となっている。先端部１５は，膨出部１３との接点からから先端１２ａにかけて徐々に幅狭となっており，先端部１５における左右の側縁は，所定角度傾斜した直線となっている。
【００３９】
また，止着部１６は，図３（ｃ）に示されるように，基端部１１側の下縁辺１６ａと，摘持部１２の先端１２ａ側の上縁辺１６ｂと，下縁辺１６ａと上縁辺１６ｂの両端を繋ぐ左右の側縁辺１６ｃ，１６ｄにより画定される形状となっている。下縁辺１６ａと上縁辺１６ｂは，先端部１５を幅方向に横断する直線で形成され，左右の側縁辺１６ｃ，１６ｄは，先端部１５の側縁に沿った形状となっている。本実施形態において，先端部１５の側縁は直線であるため，止着部１６は略台形状となっている。ただし，止着部１６は，摘持部１２の先端部１５の幅が一定である場合には，先端部１５に合せて矩形に形成されるものであってもよい。この止着部１６は，図３（ｃ）に示されるように，下縁辺１６ａが，上縁辺１６ｂよりも幅広となっていることが好ましい。また，下縁辺１６ａの幅は，膨出部１３における幅と同一であるか，若しくは，膨出部１３における幅よりも幅狭であることが好ましい。
【００４０】
続いて，図３（ｂ）及び図３（ｃ）を参照して，上記構成を持つファスニングテープの寸法の概略を説明する。ここでは，特に図３（ａ）に示した第１の実施形態に係るファスニングテープの寸法について述べる。
【００４１】
まず，ファスニングテープ１０を構成する各部の幅の寸法について説明する。
図３（ｂ）に示されるように，基端部１１の幅Ｄ１は，一定であることが好ましい。また，基端部１１の幅Ｄ１は，摘持部１２における膨出部１３の幅Ｄ２よりも幅広である（Ｄ１＞Ｄ２）。例えば，幅Ｄ１は，幅Ｄ２に対して１２０％〜３００％，又は１５０％〜２００％であることが好ましい。また，基端部１１の幅Ｄ１はくびれ部１４における凹部１４ａの幅Ｄ３よりも幅広である（Ｄ１＞Ｄ３）。例えば，幅Ｄ１は，幅Ｄ３に対して１５０％〜３５０％，又は２００％〜２５０％であることが好ましい。
【００４２】
また，くびれ部１４における凹部１４ａの幅Ｄ３は，摘持部１２における膨出部１３の幅Ｄ２よりも幅狭である（Ｄ３＜Ｄ２）。例えば，幅Ｄ３は，幅Ｄ２に対して５０％〜９９％，６０％〜９５％，７０〜９０％，又は８０〜８５％であることが好ましい。
すなわち，図３（ｂ）に示されるように，膨出部１３において幅方向に引いた直線と，くびれ部１４の中間部１４ｂにおける側縁がなす角θは，９０度未満となる。例えば，角θは，７０度〜８９度，７５度〜８５度，又は７８度〜８３度とすることが好ましい。
【００４３】
また，図３（ｃ）に示されるように，止着部１６は，下縁辺１６ａの幅Ｄ４が上縁辺１６ｂの幅Ｄ５よりも幅広であることが好ましい（Ｄ４＞Ｄ５）。例えば，幅Ｄ４は，幅Ｄ５に対して１０５％〜１３０％，又は１１０％〜１２０％であることが好ましい。
【００４４】
また，止着部１６における下縁辺１６ａの幅Ｄ４は，摘持部１２における膨出部１３の幅Ｄ２と同一の幅であってもよいし，幅Ｄ４は幅Ｄ２と比較して幅狭であってもよい（Ｄ４≦Ｄ２）。本実施形態において，止着部１６における下縁辺１６ａの幅Ｄ４と，摘持部１２における膨出部１３の幅Ｄ２は，同一である。このため，本実施形態において，止着部１６における下縁辺１６ａと摘持部１２における膨出部１３は，その位置が一致している。例えば，幅Ｄ４は，幅Ｄ２に対して，７０％〜１００％，８０％〜９５％，又は８５％〜９０％であることが好ましい。
【００４５】
また，くびれ部１４における凹部１４ａの幅Ｄ３は，止着部１６における下縁辺１６ａの幅Ｄ４よりも幅狭であることが好ましい（Ｄ３＜Ｄ４）。例えば，幅Ｄ３は，幅Ｄ４に対して５０％〜９９％，６０％〜９５％，７０〜９０％，又は８０〜８５％であることが好ましい。さらに，くびれ部１４における凹部１４ａの幅Ｄ３は，止着部１６における下縁辺１６ａの幅Ｄ５よりも幅狭であってもよい（Ｄ３＜Ｄ５）。例えば，幅Ｄ３は，幅Ｄ５に対して６０％〜９９％，７０％〜９５％，又は８０〜９０％とすることができる。
【００４６】
次に，ファスニングテープ１０を構成する各部の長さの寸法について説明する。
まず，本実施形態において，基端部１１の長さＬ１は，摘持部１２の長さＬ２よりも長く形成されている（Ｌ１＞Ｌ２）。ただし，長さＬ１は，長さＬ２よりも短いものであってもよい。
【００４７】
また，本実施形態において，摘持部１２を構成するくびれ部１４の長さＬ３と，先端部１５の長さＬ４とでは，長さＬ３の方が，長さＬ４よりも短く形成されている（Ｌ３＜Ｌ４）。例えば，くびれ部１４の長さＬ３は，摘持部１２全体の長さＬ２のうち，２０％〜４５％，２５％〜４０％，又は３０％〜３５％を占めるものであることが好ましい。このように，くびれ部１４の長さＬ３と，先端部１５の長さＬ４とを規定することで，摘持部１２に膨出部１３を形成する位置を決定できる。
ただし，くびれ部１４の長さＬ３と，先端部１５の長さＬ４は，長さＬ３が，長さＬ４よりも長く形成されていてもよい（Ｌ３＞Ｌ４）。また，長さＬ３と長さＬ４は同一であってもよい（Ｌ３＝Ｌ４）。
【００４８】
また，本実施形態において，くびれ部１４を構成する中間部１４ｂの長さＬ５と，連接部１４ｃの長さＬ６とでは，長さＬ５の方が，長さＬ６よりも長く形成されている（Ｌ５＞Ｌ６）。例えば，中間部１４ｂの長さＬ５は，くびれ部１４全体の長さＬ３のうち，５５％〜８０％，６０％〜７５％，又は６５％〜７０％を占めるものであることが好ましい。このように，中間部１４ｂの長さＬ５と，連接部１４ｃの長さＬ６を規定することで，くびれ部１４に凹部１４ａを形成する位置を決定できる。
【００４９】
また，摘持部１２の先端部１５において，止着部配置部１５ａの長さＬ７は，先端部１５の長さＬ４のうち，８０％〜９５％，又は８５％〜９０％を占めるものであることが好ましい。ただし，摘持部１２の先端部１５において，延端部１５ｂの長さＬ８は，少なくとも１ｍｍ〜１０ｍｍ，又は３ｍｍ〜６ｍｍとなることが好ましい。
【００５０】
また，図３（ｂ）において，符号Ｒ１は，くびれ部１４の連接部１４ｃにおける側縁を形成する曲線の曲率を示している。曲率Ｒ１は，例えば，Ｒ７ｍｍ〜Ｒ２０ｍｍ，又はＲ１０ｍｍ〜Ｒ１５ｍｍであることが好ましい。
また，符号Ｒ２は，先端部１５の角部分を形成する曲線の曲率を示している。曲率Ｒ２は，例えば，Ｒ５ｍｍ〜Ｒ１８ｍｍ，又はＲ８ｍｍ〜Ｒ１３ｍｍであることが好ましい。
本発明において，曲率Ｒ１は，曲率Ｒ２よりも大きいことが好ましい（Ｒ１＞Ｒ２）。少なくとも，曲率Ｒ１と曲率Ｒ２は，一致しないことが好ましい。
【００５１】
以上，本発明の第１の実施形態に係るファスニングテープ各部の幅と長さの寸法の概略を説明したが，本発明はこれに限定されるものではない。また，その他，ファスニングテープ１０の寸法の具体的な数値は，ファスニングテープ１０が取り付けられる使い捨ておむつの用途に応じて適宜設定することができる。例えば，大人用の使い捨ておむつであれば，おむつの大きさに合せてファスニングテープの寸法を大きくし，幼児用の使い捨ておむつであれば，おむつの大きさに合せてファスニングテープの寸法を小さくすればよい。
【００５２】
（２−１−２．ファスニングテープ：第２の実施形態）
図４は，本発明の第２の実施形態に係るファスニングテープを示す図である。第２の実施形態については，上記第２の実施形態と同様な点については説明を割愛し，上記第１の実施形態と異なる点を中心に説明を行う。
【００５３】
図４に示されるように，第２の実施形態では，基端部１１から延出した摘持部１２の外縁が，全体的に滑らかな曲線で形成されている。すなわち，摘持部１２の先端側は略楕円形に形成されており，この楕円形の最も幅広となった点（楕円形の短径部分）が，膨出部１３となる。膨出部１３を境界として，基端部１１側にくびれ部１４が形成され，先端１２ａ側に先端部１５が形成されている。くびれ部１４には，その幅が最も小さくなった点である凹部１４ａが形成される。くびれ部１４は，膨出部１３から凹部１４ａに向かって徐々に幅狭となる中間部１４ｂが形成される。第２の実施形態において，この中間部１４ｂにおける左右の側縁は，第１の実施形態のように直線的ではなく，滑らかなＳ字状の曲線によって形成されている。また，摘持部１２の先端部１５も，膨出部１３から先端１２ａに向かって徐々に幅狭になっている。この先端部１５における左右の側縁は，第１の実施形態のように直線的ではなく，滑らかな円弧状の曲線によって形成されている。
このように，摘持部１２の外縁全体を滑らかな曲線で形成することにより，摘持部１２の手触りが良好になる。
【００５４】
また，第２の実施形態においては，止着部１６は摘持部１２の先端部１５に配置され，その下縁辺１６ａの幅が，膨出部１３の幅よりも幅狭になっている。すなわち，止着部１６の下縁辺１６ａは，膨出部１３に一致していない。このため，摘持部１２の先端部１５は，止着部１６が配置される止着部配置部１５ａと，止着部配置部１５ａよりも先端１２ａ側に位置する延端部１５ｂと，止着部配置部１５ａよりも膨出部１３側に位置する間隙部１５ｃに区分される。この間隙部１５ｃは，膨出部１３と止着部１６の間に間隙を形成する。間隙部１５ｃの長さは，例えば１ｍｍ〜５ｍｍ，又は２ｍｍ〜４ｍｍである。
このように，膨出部１３と止着部１６の間に間隙部１５ｃを形成し，止着部１６の下縁辺１６ａが膨出部１３に一致しないようにすることで，ファスニングテープ１０（特に摘持部１２）の手触りが良好になる。
すなわち，摘持部１２の膨出部１３は，突出して幅が広くなった部分であるため，使用者の手指や着用者の肌に触れ易い。このため，止着部１６の下縁辺１６ａが膨出部１３に一致していたり，止着部１６が膨出部１３に重畳していたりする場合，手触りの硬い止着部１６が，使用者の手指や着用者の肌に触れ易くなる。例えば，肌の弱い幼児の肌に，摘持部１２の膨出部１３（止着部１６の一部）が触れると，その肌を傷付けてしまう恐れもある。そこで，上記第２の実施形態ように，膨出部１３と止着部１６の間に間隙部１５ｃを形成することで，止着部１６の下縁辺１６ａが膨出部１３に一致しなくなるため，上記のような問題を解消できる。
【００５５】
（２−１−３．ファスニングテープ：第３の実施形態）
図５は，本発明の第３の実施形態に係るファスニングテープを示す図である。
図５に示されるように，第３の実施形態では，摘持部１２の先端部１５の外形が，略三角形状に形成されている。すなわち，摘持部１２は，略三角形状に形成された先端部１５の底辺に相当する位置が，膨出部１３となる。膨出部１３を境界として，基端部１１側にくびれ部１４が形成され，先端１２ａ側に先端部１５が形成されている。くびれ部１４には，その幅が最も小さくなった点である凹部１４ａが形成される。また，くびれ部１４には，膨出部１３から凹部１４ａに向かって徐々に幅狭となる中間部１４ｂが形成される。第３の実施形態において，この中間部１４ｂにおける左右の側縁は，第１の実施形態のように直線的ではなく，滑らかな円弧状の曲線によって形成されている。また，中間部１４ｂよりも基端部１１側に位置する連接部１４ｃにおける左右の側縁も，滑らかな円弧状の曲線によって形成されている。中間部１４ｂにおける左右側縁と連接部１４ｃにおける左右側縁は，連続した円弧状の曲線であることが好ましい。また，摘持部１２の先端部１５も，膨出部１３から先端１２ａに向かって徐々に幅狭になっている。この先端部１５における左右の側縁は，第１の実施形態におけるものよりも，傾斜角が小さくなった直線となっている。例えば，膨出部１３において幅方向に引いた直線と，先端部１５における側縁がなす角αは，６０度〜８０度，６５度〜７５度，又は６８度〜７２度であることが好ましい。
【００５６】
このように，摘持部１２の先端部１５の外形を略三角形状とすることにより，止着部１６の下縁辺１６ａの幅Ｄ４と，止着部１６の上縁辺１６ｂの幅Ｄ５の差を，より大きくすることができる。すなわち，図５に示されるように，止着部１６は，下縁辺１６ａの幅Ｄ４が上縁辺１６ｂの幅Ｄ５よりも幅広となっている（Ｄ４＞Ｄ５）。例えば，第３の実施形態において，幅Ｄ４は，幅Ｄ５に対して１８０％〜３００％，２００％〜２８０％，２２０％〜２５０％とすることが好ましい。このように，止着部１６の下縁辺１６ａの幅を広く確保することにより，フロントパッチ２０に係合された止着部１６が引っ張られた場合（上縁辺１６ｂから下縁辺１６ａの方向に向かって引張力が働いた場合）であっても，下縁辺１６ａの係合力が強く働き，止着部１６が剥離しにくくなる。他方，止着部１６の上縁辺１６ｂを狭くすることにより，止着部１６の先端（延端部１５ｂ）を摘持してファスニングテープ１０を剥がす操作に対しては，止着部１６の係合力が小さいものであるため，比較的簡単に剥がすことができるようになる。すなわち，第３の実施形態のファスニングテープは，おむつの装着中は剥がれにくく，おむつを脱ぐときに剥がし易いものとなる。
【００５７】
また，図５に示されるように，第３の実施形態では，第２の実施形態と同様に，摘持部１２の先端部１５は，止着部１６が配置される止着部配置部１５ａと，止着部配置部１５ａよりも先端１２ａ側に位置する延端部１５ｂと，止着部配置部１５ａよりも膨出部１３側に位置する間隙部１５ｃに区分される。このように，間隙部１５ｃを設けることで，上述したように，ファスニングテープ１０（特に摘持部１２）の手触りが良好になる。
【００５８】
（２−１−４．ファスニングテープ：他の実施形態）
図６は，ファスニングテープ１０を構成するシート層ごとに分離して描画した斜視図である。図６に示されるように，ファスニングテープ１０は，基端部１１と摘持部１２が一体となった基材シート１０´と，基材シート１０´の一方面から摘持部１２に貼り合わされるシート状の止着部１６と，基材シート１０´の他方面に貼り合わされるループシート１７が積層して形成されている。基材シート１０´は，ファスニングテープ１０の外形をなる基板となる部材であり，図６に示された例において，基材シート１０´は上記図３に示した第１の実施形態の形状となっている。シート状の止着部１６は，面ファスナーのフック材（雄部材）であり，使い捨ておむつの前身頃に設けられたフロントパッチ２０のループ材（雌部材）と機械的に係合する。また，ループシート１７も，面ファスナーのループ部材（雌部材）となっており，止着部１６と機械的に係合可能になっている。すなわち，あるファスニングテープ１０の止着部１６は，他のファスニングテープ１０のループシート１７とも係合可能である。このため，ファスニングテープ１０を互いに重ね合わせて，使い捨ておむつのフロントパッチ２０に止め付けることができるようになる。
なお，ファスニングテープ１０は，基本的に，基材シート１０´と止着部１６を積層させて形成したものであればよく，ループシート１７は任意の構成である。
【００５９】
（２−２．フロントパッチ）
フロントパッチ２０は，後身頃１に設けられたファスニングテープ１０を，前身頃２に止め付けて保持するための部材である。フロントパッチ２０は，前身頃２の外表面（肌非当接面側）に取り付けられており，上述したファスニングテープ１０とともに，ファスニング機構を構成する。例えば，ファスニングテープ１０の止着部１６として粘着テープが採用された場合には，フロントパッチ２０は，表面が平滑なプラスチックフィルム等で形成すればよい。一方，ファスニングテープ１０の止着部１６として，面状ファスナーのフック材が採用された場合には，フロントパッチ２０としては面状ファスナーのループ材を採用すればよい。
フロントパッチ２０には，テープ型使い捨ておむつに用いられる公知のものを用いることができる。
【００６０】
（２−３．吸収体）
吸収体３１は，着用者の尿を吸収し保持するための部材である。吸収体３１は，着用者の尿や体液を吸収し保持するために，吸収性材料によって構成される。吸収性材料としては，例えば，フラッフパルプ，高吸水性ポリマー（Ｓｕｐｅｒ  Ａｂｓｏｒｂｅｎｔ  Ｐｏｌｙｍｅｒ；「ＳＡＰ」），親水性シート等を採用することができる。フラッフパルプの例は，木材パルプや非木材パルプを綿状に解繊したものである。高吸水性ポリマーの例は，ポリアクリル酸ナトリウムである。親水性シートとしては，例えば，ティシュ，吸収紙，親水化処理を行った不織布を用いることができる。吸収体３１は，トップシート３２とバックシート３３の間に挟み込まれ，トップシート３２とバックシート３３との間に封入される。吸収体３１の形状は，図示された形状に制限されるものではなく，例えば，矩形状，ひょうたん型，Ｔ字型とすることができる。
【００６１】
（２−４．トップシート）
トップシート３２は，吸収体３１の肌当接面側を被覆するように配置される液透過性のシートである。トップシート３２は，尿などの液体を，その下面側に配置された吸収体３１に浸透させる。トップシート３２を構成する液透過性材料として，例えば，織布，不織布，多孔性フィルを採用することができる。特に，ポリプロピレン，ポリエチレン，ポリエステル，ナイロンのような熱可塑性樹脂からなる不織布に親水化処理を施したものを用いることが好ましい。トップシート３２は，単一のシート材によって構成されていてもよいが，複数のシート材によって構成されていてもよい。例えば，吸収体３１の表面部に配置されるシートと，サイドフラップの部分に配置されるシートを組み合わせた構成であってもよい。
【００６２】
（２−５．バックシート）
バックシート３３は，吸収体３１を肌非当接面側から被覆するように配置される液不透過性のシートである。バックシート３３は，吸収体３１により保持されている液体が，おむつ外部に漏洩してしまうことを防止する。  バックシート３３を構成する液不透過性材料としては，例えば，ポリエチレン等の樹脂からなる液不透過性フィルム等を採用することができる。特に，微多孔性ポリエチレンフィルムを用いることが好ましい。この微多孔性ポリエチレンフィルムは，０．１μｍ程度の微細な孔が多数形成されており，液不透過性ではあるが透湿性を有するためおむつ内部の蒸れを防止することができるという点において好ましい。  また，バックシート３３の外表面には，バックシート３３を補強し，その手触りを良くするために，カバーシート３６を貼り合わせることとしてもよい。カバーシート３６を形成する材料としては，例えば，ポリエチレン，ポリプロピレン，ポリエステルのような熱可塑性樹脂からなる不織布，又は湿式不織布を用いることができる。
【００６３】
（２−６．立体ギャザー）
立体ギャザー３５は，着用者の排泄した尿などがおむつ外部へ漏出することを防止するための防漏壁として機能する部材である。立体ギャザー３５は，トップシート３２やバックシート３３とは異なるサイドシート３４により形成されることとしてもよい。例えば，サイドシート３４の一端側をトップシート３２の表面に固着し，他端側に立体ギャザー伸縮材を伸長状態で配設する。これにより，立体ギャザー３５は，立体ギャザー伸縮材の収縮力により起立し，おむつの脚周り開口部等から尿などの液体が漏出する横漏れを有効に防止することができる。立体ギャザー３５は，股下部３からの漏れを防止するため，少なくとも股下部３に形成されていればよいが，後身頃１や前身頃２にかけて形成されていてもよい。また，立体ギャザー３５は，股下部の左右側方に，少なくとも１対以上形成されていればよく，例えば，股下部の左右側方に２対以上形成することとしてもよい。
【００６４】
（２−７．各種ギャザー）
本発明に係るテープ型の使い捨ておむつにおいては，上記立体ギャザー３５の他に，脚部周りギャザー３７や，腰周りギャザー３８を形成することが好ましい。
【００６５】
脚部周りギャザー３７は，使い捨ておむつの脚部周りの開口部から，尿などの液体が漏出する事態を防止するための部材である。脚部周りの開口部に沿って，脚部周り伸縮材が伸長状態で配置され，この脚部周り伸縮材の収縮力を利用して，脚部周りギャザー３７が形成される。これにより，脚周りに隙間が形成され難くなり，脚周り開口部からの尿漏れを効果的に防止することができる。また，脚部周りギャザー３７を形成すると，おむつを交換する際に吸収体３１の両側で脚部周り伸縮材が収縮するため，股下部３が全体として椀状に変形する。このため，尿や体液が椀状に形成された股下部３に溜まり，尿をこぼすことなく容易におむつの交換を行うこともできるようになる。
【００６６】
また，腰周りギャザー３８は，使い捨ておむつの腰周りの開口部からの尿漏れを防止するとともに，使い捨ておむつのフィット性を向上させ，おむつのずり下がりが防止するための部材である。腰周りの開口部にそって，腰周り伸縮材が伸長状態で配置され，この腰周り伸縮材の収縮力を利用して，腰周りギャザー３８が形成される。これにより，使い捨ておむつの腰周り開口部が，着用者の腹部と背部に密着するため，尿漏を防止するとともに，フィット感を向上させることができる。
【産業上の利用可能性】
【００６７】
本発明は，乳幼児用或いは介護を必要とする高齢者や障害者等の成人用のテープ型使い捨ておむに適用することができる。従って，本発明は，育児産業や介護産業等において好適に利用し得る。
【符号の説明】
【００６８】
１      後身頃
２      前身頃
３      股下部
１０    ファスニングテープ
１１    基端部
１２    摘持部
１２ａ  先端
１３    膨出部
１４    くびれ部
１４ａ  凹部
１４ｂ  中間部
１４ｃ  連接部
１５    先端部
１５ａ  止着部配置部
１５ｂ  延端部
１５ｃ  間隙部
１６    止着部
１６ａ  下縁辺
１６ｂ  上縁辺
１６ｃ  左側縁辺
１６ｄ  右側縁辺
１７    ループシート
２０    フロントパッチ
３１    吸収体
３２    トップシート
３３    バックシート
３４    サイドシート
３５    立体ギャザー
３６    カバーシート
３７    脚部周りギャザー
３８    腰周りギャザー
【図１】
0005838906.tif 000002
【図２】
0005838906.tif 000003
【図３】
0005838906.tif 000004
【図４】
0005838906.tif 000005
【図５】
0005838906.tif 000006
【図６】
0005838906.tif 000007